(57)【要約】  本発明は、家具本体内に移動可能に配置された前面部品（２、２’、２’’、２’’’）を備える、特にオフィスまたはキッチン用の家具（１）に関し、上記前面部品（２、２’、２’’、２’’’）は、互いに平行でありかつ家具（１）の前面（５）に対して垂直である少なくとも２本の水平案内レール（７、７’、７’’）に操作可能に連結される。上記前面部品（２、２’、２’’、２’’’）は、家具（１）の前面（５）と平行かつ面一である位置から家具本体の内側の方に移動されうる。【選択図】  図１
2012525945.tif 000002
【特許請求の範囲】
【請求項１】
家具本体内へ移動可能に配置された前面部品（２、２’、２’’、２’’’）を備える家具、特にオフィスまたはキッチン用の家具（１）において、
互いに平行でありかつ当該家具（１）の前面（５）に対して垂直に位置合わせがされた少なくとも２本の水平案内レール（７、７’、７’’）に、前記前面部品（２、２’、２’’、２’’’）が動作可能に連結され、当該家具（１）の前記前面（５）と平行かつ面一である位置から前記家具本体の内側の方へ、前記前面部品（２、２’、２’’、２’’’）が移動されうることを特徴とする、家具。
【請求項２】
往復台（３）が、前記前面（５）から外方に向く前記前面部品（２、２’、２’’、２’’’）の後側に配置され、前記往復台（３）が前記案内レール（７、７’、７’’）内で案内可能であることを特徴とする、請求項１に記載の家具。
【請求項３】
少なくとも１つのローラ（１２）が、前記前面部品（２、２’、２’’、２’’’）および／または前記往復台（３）に配置され、前記ローラが、前記前面部品（２、２’、２’’、２’’’）の下方に水平に配置されたパネル（４）の上側に、または前記前面部品（２、２’、２’’、２’’’）の上方に水平に配置された第２のパネル（６）の底側に配置されることを特徴とする、請求項１または２に記載の家具。
【請求項４】
少なくとも１つの水平に配置されたパネル（４）と、家具本体内に移動可能に配置された前面部品（２、２’、２’’、２’’’）とを備える家具、特にキッチンまたはオフィス用の家具（１）において、
走行装置（５１）の各側面に配置されるとともに前記パネル（４）の上側に配置され、かつ前記前面部品（２、２’、２’’、２’’’）の後側に対して垂直に位置合わせがされた少なくとも２つのローラ（１２）を有する前記走行装置（５１）が、前記前面（５）から外方に向く前記前面部品（２、２’、２’’、２’’’）の後側に配置され、それにより前記前面部品（２、２’、２’’、２’’’）が、当該家具（１）の前記前面（５）と平行かつ面一である位置から前記家具本体の内側の方へ移動されうることを特徴とする、家具（１）。
【請求項５】
前記家具本体の第２のパネル（６）の底側に配置された少なくとも１つのローラ（１２）が、前記走行装置（５１）上に配置されることを特徴とする、請求項４に記載の家具。
【請求項６】
当該家具が電動ユニットを備え、それによって前記前面部品（２、２’、２’’、２’’’）が移動可能であることを特徴とする、請求項１〜５のいずれか一項に記載の家具。
【請求項７】
前記電動ユニットが、歯付きベルト駆動装置として配置されることを特徴とする、請求項６に記載の家具。
【請求項８】
前記電動ユニットが、ラック・アンド・ピニオン式駆動装置として配置されることを特徴とする、請求項６に記載の家具。
【請求項９】
前記電動ユニットが、引っ張りケーブル駆動装置として配置されることを特徴とする、請求項６に記載の家具。
【請求項１０】
前記電動ユニットが、せん断駆動装置として配置されることを特徴とする、請求項６に記載の家具。
【請求項１１】
前記前面部品（２、２’、２’’、２’’’）が、回転ドアとして配置されることを特徴とする、請求項１〜１０のいずれか一項に記載の家具。
【請求項１２】
前記前面部品（２、２’、２’’、２’’’）が、横方向または垂直方向に移動可能な開口として配置されることを特徴とする、請求項１〜１０のいずれか一項に記載の家具。
【請求項１３】
前記走行装置（５１）が調整装置を備え、それによって前記走行装置（５１）が奥行きを調整することができることを特徴とする、請求項１〜１２のいずれか一項に記載の家具。
【請求項１４】
前記調整装置が、入れ子式アーム（５０）として配置されることを特徴とする、請求項１３に記載の家具。
【請求項１５】
前記調整装置が、継手（５２）として配置されることを特徴とする、請求項１３に記載の家具。
【発明の詳細な説明】
【技術分野】
【０００１】
本発明は、請求項１および請求項１５の前文に記載の、家具本体内に移動可能に配置された前面部品（ｆｒｏｎｔ  ｐｉｅｃｅ）を備える、特にオフィスまたはキッチン用の家具に関する。
【背景技術】
【０００２】
最新技術においては、前面部品が家具の前面と平行に移動可能である家具、または家具の前面部品が家具本体内へ移動可能な回転ドアとして、この目的で家具の前面に対して垂直な位置に設けられた溝穴の中に配置される家具が知られている。
【発明の概要】
【発明が解決しようとする課題】
【０００３】
本発明の目的は、移動可能かつ／または枢動可能な前面部品により、家具の形状を待機位置から使用位置へまたは使用位置から待機位置へ必要に応じて変えることができる家具を提供することである。
【課題を解決するための手段】
【０００４】
この目的は、請求項１の特徴を有する家具および請求項１５の特徴を有する家具によって達成される。
【０００５】
本発明の有利な実施形態は、従属請求項の主題である。
【０００６】
請求項１によれば、前面部品は、家具の前面と面一にある位置から家具の前面と平行な家具本体の中へ移動可能である。このように移動可能な前面部品を用いて、美的または機能的理由で家具の面一の前面部品を実現すること、あるいは機能的理由で前面部品の中または前／後での追加機能のための有用な作業容積部（ｕｓｅｆｕｌ  ｗｏｒｋｉｎｇ  ｖｏｌｕｍｅ）を実現することが可能である。例えば、作業面は、この目的のために移動される前面部品が家具の他の前面区域を覆うことなく、家具内で利用可能である。
【０００７】
一実施形態によれば、前面部品は、少なくとも部分的に透明板として配置される。かかる前面部品がこのように配置された場合、必要に応じて前面部品とともに家具の中へ移動されうる上記前面部品の背後に仕切りを配置することが可能である。
【０００８】
別の実施形態によれば、往復台（ｃａｒｒｉａｇｅ）が前面から外方に向く家具の前面部品の後側に配置され、往復台は案内レール内で案内されうる。かかる往復台は、例えばレンジフード（ｃｏｏｋｅｒ  ｈｏｏｄ）を収納するために、いろいろに使用することができ、この場合、前面部品には、小物や調味料などを収納するための別個の収納室として、換気用スリットが設けられる。家具が間仕切りとしても使用できるように、もう１つの前面部品を往復台の後側に配置することもできる。
【０００９】
別の好ましい実施形態によれば、少なくとも１つのローラが前面部品および／または往復台上に配置され、このローラは、例えばカウンタの形をとる前面部品の下方に水平に配置されたパネルの上側に、または前面部品の上方に水平に配置された第２のパネルの底側に設けられる。前面部品または往復台が、前面部品または往復台の前面のそれぞれの上端で、背面に対して垂直に同時に平行に延びる２本のレールによって案内される場合、かかるローラは前面部品または往復台に付加的な安定性を与える。
【００１０】
別の実施形態では、家具の前面部品が、高さ方向、横方向および／または斜め方向に調整可能となるように、往復台に配置される。その結果、前面部品は、家具の前面の面内での前面部品の調整に関して正確に位置合わせをすることができる。
【００１１】
別の実施形態によれば、家具が電動ユニットを備え、それによって前面部品が移動可能である。家具本体内での前面部品の移動および位置調整は、電気的に駆動される前面部品によってかなり容易になる。
【００１２】
電動ユニットの利用は、引き戸などの他の機能的な家具に対しても考慮されうる。
【００１３】
電動ユニットは、必ずしも往復台に固定される必要はなく、垂直に位置する前面部品に直接固定することもできる。
【００１４】
本発明について、同封図面に示すいくつかの実施形態を参照して以下に説明することとする。
【図面の簡単な説明】
【００１５】
【図１】前面部品を有する本発明による家具の斜視図である。
【図２】別の前面部品を有する本発明による家具の斜視図である。
【図３】さらに別の前面部品を有する本発明による家具の斜視図である。
【図４】他の前面部品を有する本発明による家具の斜視図である。
【図５】前面部品に配置された案内レールおよび／または前面部品上に配置されたローラを有する、家具本体および前面部品の断面図である。
【図６】前面部品に配置された案内レールおよび／または前面部品上に配置されたローラを有する、家具本体および前面部品の断面図である。
【図７】前面部品に配置された案内レールおよび／または前面部品上に配置されたローラを有する、家具本体および前面部品の断面図である。
【図８】前面部品に配置された案内レールおよび／または前面部品上に配置されたローラを有する、家具本体および前面部品の断面図である。
【図９】前面部品に配置された案内レールおよび／または前面部品上に配置されたローラを有する、家具本体および前面部品の断面図である。
【図１０】前面部品に配置された案内レールおよび／または前面部品上に配置されたローラを有する、家具本体および前面部品の断面図である。
【図１１】前面部品に配置された案内レールおよび／または前面部品上に配置されたローラを有する、家具本体および前面部品の断面図である。
【図１２】前面部品に配置された案内レールおよび／または前面部品上に配置されたローラを有する、家具本体および前面部品の断面図である。
【図１３】前面部品に配置された案内レールおよび／または前面部品上に配置されたローラを有する、家具本体および前面部品の断面図である。
【図１４】前面部品に配置された案内レールおよび／または前面部品上に配置されたローラを有する、家具本体および前面部品の断面図である。
【図１５】前面部品に配置された案内レールおよび／または前面部品上に配置されたローラを有する、家具本体および前面部品の断面図である。
【図１６】前面部品に配置された案内レールおよび／または前面部品上に配置されたローラを有する、家具本体および前面部品の断面図である。
【図１７】電気的歯付きベルト駆動装置の第１の実施形態の図である。
【図１８】電気的歯付きベルト駆動装置の第１の実施形態の図である。
【図１９】電気的歯付きベルト駆動装置の第１の実施形態の図である。
【図２０】電気的歯付きベルト駆動装置の第１の実施形態の図である。
【図２１】往復台の傾きを調整できるように配置された前面部品の概略側断面図である。
【図２２】電化引っ張りケーブルとして配置された駆動装置の図である。
【図２３】電化引っ張りケーブルとして配置された駆動装置の図である。
【図２４】電化引っ張りケーブルとして配置された駆動装置の図である。
【図２５】電化引っ張りケーブルとして配置された駆動装置の図である。
【図２６】側面に対して上方に旋回可能な前面部品を有する往復台の断面図である。
【図２７】側面に対して上方に旋回可能な前面部品を有する往復台の断面図である。
【図２８】側面に対して上方に旋回可能な前面部品を有する往復台の断面図である。
【図２９】家具本体内で移動可能な走行装置の側断面図であり、走行装置上には前面部品が入れ子構造およびロッキングレバーと共に配置されている図である。
【図３０】家具本体内で移動可能な走行装置の側断面図であり、走行装置上には前面部品が入れ子構造およびロッキングレバーと共に配置されている図である。
【図３１】家具本体内で移動可能な走行装置の別の概略側断面図であり、走行装置上には前面部品が弓状に構成された連結構造および案内レールと共に配置されている図である。
【図３２】家具本体内で移動可能な走行装置の別の概略側断面図であり、走行装置上には前面部品が弓状に構成された連結構造および案内レールと共に配置されている図である。
【発明を実施するための形態】
【００１６】
図１〜図４に示す家具１は、家具１内に配置された引き出しなどの構成要素を有する家具本体と、カウンタ４と、家具本体の中に移動可能な前面部品２とを備える。この前面部品２は、使用していないときに家具１の前面５と面一になるように配置される。
【００１７】
図１〜図４に示す説明図において、ウェブ２５によって互いに連結された後壁２３および前壁２４を有する往復台３（図１７に詳細に示す）が前面部品２の背後に配置され、前面部品２が往復台３に固定されている。ガラス製前面としての配置が、家具の前面部品２の構成可能性の例として示されており、前面部品２の背後には例えば仕切りを置くことができる。図２に示す実施形態では、前面部品２’が、往復台３上に配置される回転ドアとして配置される。図３では、前面部品２’’が、往復台の中に突出する開架式天板（ｏｐｅｎ  ｓｈｅｌｆ  ｔｏｐ）として配置される。図４は、往復台３内のレンジフードの例示的な配置を示し、前面部品２’’’には複数の換気用スリットがある。
【００１８】
家具１の前面５と面一で家具１の前面５と平行な位置から家具本体の中への前面部品２、２’、２’’および２’’’の移動について、図５〜図１６を参照して以下により詳細に説明する。図５に示す第１の実施形態では、案内レール７が、前面部品および往復台３を取り囲む壁４、１０、６および１１に組み込まれ、案内レール７が、水平に、互いに平行に、かつ家具１の前面５に垂直に位置合わせされる。少なくとも１つの走行ホイール８が案内レール７のそれぞれの中で案内され、走行ホイール８は回転軸９上で回転可能であり、回転軸９は前面部品２、２’、２’’もしくは２’’’、または往復台３の縁部上に堅固に配置される。かかる前面部品２、２’、２’’および２’’’の家具本体内への走行特性を向上させるために、互いに直接的または間接的に連結された少なくとも２つの走行ホイール８が、案内レール７のそれぞれの中に配置される。挿入プロセス中に家具の前面部品が傾くのが効果的に回避される。
【００１９】
図５に示す４重の案内の代わりに、案内レール７内における前面部品２、２’、２’’もしくは２’’’、または往復台３の３重または２重の案内も可能である。これらの案内レール７の可能な配置を図６〜図１２および図１４に示す。
【００２０】
前面部品２、２’、２’’もしくは２’’’、または往復台３が、前面部品２、２’、２’’もしくは２’’’、または往復台３の上部コーナーの区域で案内レール７内に案内される、図１５に示す変形形態においては、追加のローラ１２が、底部コーナーの区域において前面部品２、２’、２’’および２’’’または往復台３に配置されるとともに、ローラ１２が、前面部品２の下方に配置されたカウンタ４の上側に静止し、変位プロセス中にカウンタ４上で回転する。
【００２１】
図１３および図１６に示す実施形態では、ローラ１２だけが、前面部品２、２’、２’’もしくは２’’’、または往復台３のローラ回転軸１３を介して配置される。この場合、進行方向に互いに背後に配置された少なくとも２つのローラ１２が、前面部品２、２’、２’’もしくは２’’’、または往復台３の底部区域内にのみ配置され、それによって前面部品２、２’、２’’もしくは２’’’、または往復台３がカウンタ上で移動可能になるか、あるいは前面部品２の下方に水平に配置され、あるいは、追加のローラ１２が前面部品２、２’、２’’もしくは２’’’、または往復台３の上部区域内に配置され、それによって前面部品２、２’、２’’および２’’’の上方に水平に配置された第２の板６上で前面部品２、２’、２’’もしくは２’’’、または往復台３を支持することが可能になる。
【００２２】
前面部品２、２’、２’’および２’’’の表面シフト移動は、電化された方法で行われることが好ましい。この目的のためには、家具が電動ユニットを備え、それによって前面部品２、２’、２’’および２’’’が移動可能であることが好ましい。かかる電動ユニットの第１の実施形態が図１７〜図１９に示す。この場合、電動ユニットは歯付きベルト駆動装置として配置される。
【００２３】
図１７に示すように、駆動モータ１９が往復台３内に配置され、駆動モータ１９が歯付きベルト１８により駆動回転軸１７を駆動する。駆動回転軸１７が、駆動回転軸１７のそれぞれの端部区域で、往復台３に垂直に固定された板２２を貫入する。外側の歯を有する歯車１６が、板２２の背後で駆動回転軸１７の両端部上にそれぞれ配置される。歯付きベルト１５が上記歯車１６上に置かれ、歯付きベルト１５は、歯車１６に隣接して左右に配置された偏向ローラ（ｄｅｆｌｅｃｔｉｏｎ  ｒｏｌｌｅｒｓ）１４によって歯車１６に押圧される。その結果、歯付きベルト１５が、歯車１６および偏向ローラ１４の区域に、歯車１６の周囲にオメガの形に置かれ、したがって歯付きベルトを確実に締め付けるようにする。
【００２４】
歯付きベルト１５および偏向ローラ１４が案内レール７の第１の案内面２０内に配置され、歯付きベルト１５が案内レール７内の調整要素２８を用いて端部に固定される。歯付きベルト１５は、調整要素２８を用いて水平に移動されかつ固定されうる。
【００２５】
案内レール７内での移動の自由度を高めるために、案内レール７が、走行ホイール８がその中で案内される第２の案内面２１を備え、走行ホイール８が、互いにできるだけ離隔して配置され、板２２に対して偏向ローラ１４の左右に固定される。第２の案内面２１および走行ホイール８がそれぞれ、特に図１９に示すように、第１の案内面２０およびその中で回転する偏向ローラ１４にオフセットして配置される。
【００２６】
図１７および、また図２０にも明瞭に示すように、板２２が２つの細長い穴２７を備え、２つの細長い穴２７をねじ２６が貫通して配置され、それにより、板２２をｚ方向に垂直に調整可能な方法で往復台３に固定することが可能になる。
【００２７】
図２０にさらに示すように、家具本体のカウンタ４上で走行するローラ１２のかかる垂直調整は、往復台の下部区域において往復台３上に配置されたパネルによって可能である。
【００２８】
図２１に示すように、前面部品２、２’、２’’および２’’’が、傾斜を調整できるように往復台３に配置される。この目的のために、玉継手シェル（ｂａｌｌ  ｊｏｉｎｔ  ｓｈｅｌｌ）３３が前面部品２、２’、２’’および２’’’の後側に組み込まれ、玉継手シェル３３内にローレット頭ねじ２９の一端が配置され、その一端がボール頭３１として配置され、ローレット頭ねじ２９が往復台３に調整可能に固定され、サムホイール３２と往復台３の壁２４の中にねじ込まれうるねじ山３０とによって調整できることが好ましい。それにより、家具１の前面５に対する前面部品２、２’、２’’および２’’’の微調整を簡単な方法で行うことができる。
【００２９】
図２２〜図２５は、駆動ユニットの別の実施形態を示す。この場合、駆動ユニットは電化引っ張りケーブル駆動装置として配置される。前面部品２、２’、２’’もしくは２’’’、または往復台３に横方向に固定された保持要素３４が電動ケーブルドラム３５によって動かされ、引っ張りケーブル３９が電動ケーブルドラム３５上に各保持要素３４に対して巻き上げられ、引っ張りケーブル３９が、案内レール７’のそれぞれの端部上に配置された偏向ローラ３７および３８によって案内され、締め付け要素４４によって保持要素３４に固定される。引っ張りケーブル３９は連続的には固定されず、操作の際に一端が巻き上げられるが、一方で同時に他端が巻き戻されるような態様で、引っ張りケーブル３９の端部がケーブルドラム３５上の様々な位置に固定される。これにより、往復台３の滑りのない移動が確実になる。
【００３０】
案内レール７’が２本のウェブ３６を備えており、この２本のウェブ３６は、案内レールの長手方向軸線と平行に延び、断面がオメガの形に構成された案内レール７’の外壁とともに引っ張りケーブル３９用のダクトを形成する。２つのローラ４０が保持要素３４の後側に配置され、２つのローラ４０は、ウェブ３６の相互に向かい合う側面によって形成された案内面の中を走行する。保持要素３４の幅（移動の軸線方向ｙに見られる）は、保持されるべき前面部品２の幅または保持されるべき往復台３の幅に対応する。
【００３１】
家具の前面の面内で水平な前面部品２、２’、２’’および２’’’の調整を可能にするために、保持要素３４が保持要素３４の後壁から垂直に突出するリム４１に細長い穴を有し、前面部品２、２’、２’’もしくは２’’’、または往復台３が、細長い穴を用いて水平に調整可能な方法で固定されうる。前面部品２、２’、２’’もしくは２’’’、または往復台３の方向に保持要素の後側から垂直または斜め上方に突出する保持要素３４の追加のウェブ４２および４３はまた、前面部品２、２’、２’’もしくは２’’’、または往復台３を保持要素３４に確実に垂直に固定する。
【００３２】
図２６〜図２８に示す家具の実施形態では、前面部品２、２’、２’’および２’’’が、ウェブ４６によって平行四辺形の態様で、下部往復台３上で横方向上向きに枢動可能となるように配置される。特に図２８に示すように、往復台３を後方へ移動させた後、家具１内の往復台３の上方に配置された別の家具要素４７を、往復台３の前に空けられたスペースの中に下方に下げる配置方法で低くすることができる。さらに、背面要素４５が往復台３の後側に配置され、背面要素４５が前面部品２、２’、２’’および２’’’に対応しており、したがって、往復台３が後方に配置された位置の背後で背面要素４５により、家具の後側をも面一に仕切ることができる。
【００３３】
図２９〜図３２は、別の２つの実施形態を示し、例えば、前面部品２、２’、２’’および２’’’が後方に完全に移動されたときに使用可能になる前面部品２、２’、２’’および２’’’の前のスペースの容積利用率を改善するものである。この目的のために、前面部品２、２’、２’’および２’’’が固定されるとともに直線の案内レール７内を前後位置の間で移動可能な走行装置５１に入れ子式アーム５０が設けられ、この入れ子式アーム５０上に、２つの走行ホイール８の一方が案内レール７内に配置される。さらに、ロッキングレバー４９が走行装置５１の後壁４８上に配置され、入れ子式アーム５０がロッキングレバー４９を用いて延在位置で保持することができる。その結果、それぞれの案内レール７内を走るローラ１４は、走行装置５１の妨害を回避するために、互いにできるだけ長い距離を置いて配置される。
【００３４】
走行装置５１が家具１の前面５から最も遠い位置の方向に移動されると、ロッキングレバー４９が家具１の後壁に接触し、それにより入れ子式アーム５０をロックしている位置からはずれ、その結果、入れ子式アーム５０が走行装置５１内に引っ込められる。走行装置５１の端部位置では、走行装置５１だけが低減された奥行きｂを有し、それにより前面部品２、２’、２’’および２’’’の前の有用な容積が拡大される。
【００３５】
図３１および図３２に示す代替実施形態では、案内レール７’’には湾曲形状が設けられ、走行装置５１が、継手５２によって互いに分離された２つの区域からなり、２つの区域が、走行装置５１が家具の前面５から最も遠い位置の方向に互いに同軸上に延在する位置から湾曲位置まで移動する間に枢動され、前面部品２、２’、２’’および２’’’から離れている走行ホイール８が案内レール７’’の円弧状の進行に従う。その結果、走行装置５１の最初の奥行きａ（図３１に示す）が、走行装置５１の奥行きｂ（図３２に示す）に延在することができる。
【符号の説明】
【００３６】
１  家具
２、２’、２’’、２’’’  前面部品
３  往復台
４  カウンタ
５  前面
６  天板
７、７’、７’’  案内レール
８  ローラ（走行ホイール）
９  回転軸
１０  壁
１１  壁
１２  ローラ
１３  ローラ回転軸
１４  偏向ローラ
１５  歯付きベルト
１６  歯車
１７  駆動回転軸
１８  歯付きベルト
１９  駆動モータ
２０  案内面
２１  案内面
２２  板
２３  壁
２４  壁
２５  ウェブ
２６  ねじ
２７  細長い穴
２８  調整要素
２９  ローレット頭ねじ
３０  ねじ山
３１  ボール頭
３２  サムホイール
３３  玉継手シェル
３４  保持要素
３５  ケーブルドラム
３６  ウェブ
３７  偏向ローラ
３８  偏向ローラ
３９  引っ張りケーブル
４０  走行ホイール
４１  リム
４２  ウェブ
４３  ウェブ
４４  締め付け要素
４５  背面要素
４６  ウェブ
４７  家具要素
４８  後壁
４９  ロッキングレバー
５０  入れ子式アーム
５１  走行装置
５２  継手
【図１】
2012525945.tif 000003
【図２】
2012525945.tif 000004
【図３】
2012525945.tif 000005
【図４】
2012525945.tif 000006
【図５】
2012525945.tif 000007
【図６】
2012525945.tif 000008
【図７】
2012525945.tif 000009
【図８】
2012525945.tif 000010
【図９】
2012525945.tif 000011
【図１０】
2012525945.tif 000012
【図１１】
2012525945.tif 000013
【図１２】
2012525945.tif 000014
【図１３】
2012525945.tif 000015
【図１４】
2012525945.tif 000016
【図１５】
2012525945.tif 000017
【図１６】
2012525945.tif 000018
【図１７】
2012525945.tif 000019
【図１８】
2012525945.tif 000020
【図１９】
2012525945.tif 000021
【図２０】
2012525945.tif 000022
【図２１】
2012525945.tif 000023
【図２２】
2012525945.tif 000024
【図２３】
2012525945.tif 000025
【図２４】
2012525945.tif 000026
【図２５】
2012525945.tif 000027
【図２６】
2012525945.tif 000028
【図２７】
2012525945.tif 000029
【図２８】
2012525945.tif 000030
【図２９】
2012525945.tif 000031
【図３０】
2012525945.tif 000032
【図３１】
2012525945.tif 000033
【図３２】
2012525945.tif 000034
【国際調査報告】
2012525945.tif 000035
2012525945.tif 000036
2012525945.tif 000037
2012525945.tif 000038
2012525945.tif 000039
2012525945.tif 000040